【手続補正書】
【提出日】平成26年1月8日(2014.1.8)
【手続補正１】
【補正対象書類名】特許請求の範囲
【補正対象項目名】請求項１
【補正方法】変更
【補正の内容】
【請求項１】
車体フレーム（１０）に支持される燃料タンク（２０）の上面に給油口（２５ａ）を設け、さらに燃料タンク（２０）内に収容される燃料ポンプ（６０）の上部に燃料吐出口（６１ａ）を設け、燃料タンク（２０）の上面に燃料タンクカバー（３０）を取付けるとともに、この燃料タンクカバー（３０）が燃料ポンプ（６０）上部を覆うポンプカバー部（５０）を備えている燃料タンクカバー構造において、
この燃料タンクカバー（３０）は、給油口（２５ａ）の周囲を覆うように設けられたトレー部（４０）と前記ポンプカバー部（５０）とを一体に形成するとともに、
前記トレー部（４０）に前記給油口（２５ａ）を囲む開口部（４６）を形成し、この開口部（４６）に環状の弾性部材（３２）を嵌合して、外周部を前記開口部（４６）の内周に密着させ、前記弾性部材（３２）の内周部を前記給油口（２５ａ）周囲に密着させ、
さらに燃料タンクカバー（３０）の周囲に前記燃料タンク（２０）との係合部（５４，５６）を設け、この係合部（５４，５６）と前記弾性部材（３２）により、前記燃料タンクカバー（３０）を前記燃料タンク（２０）へ取付けたことを特徴とする燃料タンクカバー構造。
【手続補正２】
【補正対象書類名】特許請求の範囲
【補正対象項目名】請求項５
【補正方法】変更
【補正の内容】
【請求項５】
前記第２係合部（５４）は、前記燃料タンク（２０）の周縁に形成されたフランジ部（２４）を上下に挟み、前記燃料タンク（２０）内方側に向けたコの字状に形成されることを特徴とする請求項４に記載した燃料タンクカバー構造。
【手続補正３】
【補正対象書類名】明細書
【補正対象項目名】０００２
【補正方法】変更
【補正の内容】
【０００２】
自動２輪車等の燃料タンクの上面後部に給油口を設け、前部に燃料ポンプを内蔵し、その上部を燃料タンク上面へ固定するとともに、この燃料ポンプの上方をポンプカバーで覆い、燃料タンクの周囲へ締結して取付けた燃料タンクカバー構造がある（特許文献１参照）。
【手続補正４】
【補正対象書類名】明細書
【補正対象項目名】０００４
【補正方法】変更
【補正の内容】
【０００４】
上記従来例のように、ポンプカバーを燃料タンクへ締結すると、生産性の向上が困難である。また、給油口を燃料タンクの上面に形成する場合、給油口周辺に給油トレーを設ける場合があるが、これをポンプカバーと別体に形成する場合には部品点数が増加するとともに、組付け工数が増加するので、ポンプカバーと給油トレーの機能を有し、かつ生産性を向上できる燃料タンクカバー構造が求められている。
本願はこのような要請の実現を目的とする。
【手続補正５】
【補正対象書類名】明細書
【補正対象項目名】０００５
【補正方法】変更
【補正の内容】
【０００５】
上記課題を解決するため請求項１に記載した発明は、車体フレームに支持される燃料タンクの上面に給油口を設け、さらに燃料タンク内に収容される燃料ポンプの上部に燃料吐出口を設け、燃料タンクの上面に燃料タンクカバーを取付けるとともに、この燃料タンクカバーが燃料ポンプ上部を覆うポンプカバー部を備えている燃料タンクカバー構造において、
この燃料タンクカバーは、給油口の周囲を覆うように設けられたトレー部と前記ポンプカバー部とを一体に形成するとともに、
前記トレー部に前記給油口を囲む開口部を形成し、この開口部に環状の弾性部材を嵌合して、外周部を前記開口部の内周に密着させ、前記弾性部材の内周部を前記給油口周囲に密着させ、
さらに燃料タンクカバーの周囲に前記燃料タンクとの係合部を設け、この係合部と前記弾性部材により、前記燃料タンクカバーを前記燃料タンクに取付けたことを特徴とする。
【手続補正６】
【補正対象書類名】明細書
【補正対象項目名】０００７
【補正方法】変更
【補正の内容】
【０００７】
請求項３に記載した発明は上記請求項１又は２において、前記燃料タンクカバーの対向する一対の端部の一方に前記開口部を形成して、前記弾性部材を嵌合し、
他方の端部に、前記係合部の一部をなすとともに、前記燃料タンクに設けられた係合穴へ差込みで係合する第１係合部を形成したことを特徴とする。
【手続補正７】
【補正対象書類名】明細書
【補正対象項目名】００１６
【補正方法】変更
【補正の内容】
【００１６】
請求項４に記載した発明によれば、開口部と第１係合部を結ぶ方向と略直交する方向のポンプカバー部の両端部に形成する各第２係合部により、燃料タンクカバーのガタツキを低減することができる。
【手続補正８】
【補正対象書類名】明細書
【補正対象項目名】００２３
【補正方法】変更
【補正の内容】
【００２３】
まず、図１において、車体前部には、図示しない車体フレームの前端部へ回動自在に支持されたフロントフォーク１の下端に前輪２が支持され、上方のハンドル３により操向される。
車体前部は前部車体カバー４で覆われ、その鞍部４ａを挟んでハンドル３の後方にシート５が配置されている。シート５は前後方向へ長いダブルシートであり、前半部がライダーシート５ａ、後半部がピリオンシート５ｂになっている。
【手続補正９】
【補正対象書類名】明細書
【補正対象項目名】００２７
【補正方法】変更
【補正の内容】
【００２７】
メインフレーム１１の下方にはエンジン７が支持され、チェーンケース１４内に収納されて見えないチェーンにより後輪８を駆動する。
チェーンケース１４はリヤフォーク１５に固定され、リヤフォーク１５の前端は図では見えないがリヤフレーム１２の下部へ揺動自在に支持され、後端部は緩衝器９によりリヤフレーム１２の屈曲部１２ａと連結（図示省略）されている。
【手続補正１０】
【補正対象書類名】明細書
【補正対象項目名】００５０
【補正方法】変更
【補正の内容】
【００５０】
図９は燃料タンクカバー３０の左側面図、図１０は燃料タンクカバー３０を斜め前方から示す斜視図、図１１は反転させて裏側を示す斜視図である。
図９に示すように、燃料タンクカバー３０は燃料タンク２０の上面を覆う樹脂製部材であり、全体が一方向へ傾斜し、この例では前方上がりに傾斜配置され、前端部はパッキン３２にて給油口２５ａへ取付けられ、後端部は係合突部５６にて燃料タンク２０の後端部へ取付けられている（図３参照）。
【手続補正１１】
【補正対象書類名】明細書
【補正対象項目名】００５３
【補正方法】変更
【補正の内容】
【００５３】
図１０及び１１に示すように、トレー部４０は燃料タンクカバー３０の前部へ上向きに開放されたトレー側凹部として形成され、ポンプカバー部５０は逆に燃料タンクカバー３０の後部へ下向きに開放されたポンプカバー側凹部として形成されている。
このように反対向きの凹部を組み合わせて同一部材へ一体成形することで、燃料タンクカバー３０を高さ方向で大型化することがない。しかも、剛性を高くすることができるので、機能性と剛性を両立できる。
【手続補正１２】
【補正対象書類名】明細書
【補正対象項目名】００５５
【補正方法】変更
【補正の内容】
【００５５】
トレー部４０の後部に形成された傾斜ガイド壁４３は、上方側が後傾する後傾斜面をなすとともに、傾斜ガイド壁４３の上下方向の幅である斜面幅は、車体右側へ行くほど広くなり、逆に、車体左側の排出部４２へ向かって次第に幅が狭くなるように形成されている。但し、傾斜ガイド壁４３の上端部の高さは左右方向で一定であり、底部４５も左右方向では高さが一定であるため、底部４５と傾斜ガイド壁４３との境界線４７が底部４５の矢示Ｃの傾斜方向に対して傾斜することになり、平面視で、底部４５の矢示Ｃの傾斜方向と交わり、車体右側から車体左側へ向かって矢示Ｄで示すように後方傾斜する。
【手続補正１３】
【補正対象書類名】明細書
【補正対象項目名】００６０
【補正方法】変更
【補正の内容】
【００６０】
底部４５を傾斜させるとともに、底部４５と傾斜ガイド壁４３の境界線４７をこのように傾斜させると、トレー部４０内へ溢れた流体は、まず、矢示Ｃのように後傾している底部４５の上を後方の傾斜ガイド壁４３へ向かって流れ、さらに、傾斜ガイド壁４３に達した流体は矢示Ｄ方向へ傾斜ガイド壁４３に沿って最下部４５ａへ向かって流れ、最下部４５ａにてスムーズに排出部４２へ流れ込む。さらに、排出部４２へ溜まった流体は、排出口４２ｃからドレンパイプ４２ａを通ってドレンチューブ３１で外部へ排出される。
このように、底部４５の前後方向における矢示Ｃの傾斜と、境界線４７の矢示Ｄの傾斜により、傾斜ガイド壁４３へ流れて来た流体を傾斜ガイド壁４３により最下部４５ａへスムーズに流して排出部４２へ速やかに導くことができる。
【手続補正１４】
【補正対象書類名】明細書
【補正対象項目名】００６６
【補正方法】変更
【補正の内容】
【００６６】
図１２はパッキン３２を示し、Ａはパッキン３２の平面図、Ｂはパッキン３２をフィラーネック２５の周囲へ弾性嵌合させた状態の断面図である。
Ａに示すように、パッキン３２は弾性を有するリング状のラバーから形成される。パッキン３２の内外周は厚肉部をなし、内周側厚肉部３２ａは中央穴３２ｂを囲むシール部をなし、その内径はフィラーネック２５の外径より若干小さくなっている。外周側厚肉部３２ｃの外径は開口４６の内径よりも若干大きくなっている。
【手続補正１５】
【補正対象書類名】図面
【補正対象項目名】図５
【補正方法】変更
【補正の内容】
【図５】
2012148659.tif 000001
【手続補正１６】
【補正対象書類名】図面
【補正対象項目名】図６
【補正方法】変更
【補正の内容】
【図６】
2012148659.tif 000002
【手続補正１７】
【補正対象書類名】図面
【補正対象項目名】図７
【補正方法】変更
【補正の内容】
【図７】
2012148659.tif 000003